(57)【要約】      （修正有）【課題】プッシュスイッチを提供する。【解決手段】プッシュスイッチ１００は、順次設置されるボタン１１０、ベース１２０及び本体１３０を含み、ボタンがベースに係止され、ベースが本体に係止され、ボタンに、ボタンを復位させるための復位部材１１１及び駆動するための駆動スライダ１１２が設けられ、ベースに揺動シャフト１２１及び発光部材１２２が設けられ、復位部材がボタンとベースとの間に設けられ、駆動スライダが揺動シャフトに駆動的に接続され、本体に揺動シャフト接続具１３１及び揺動プレート１３２が設けられ、揺動シャフトが揺動シャフト接続具により揺動プレートを駆動し、発光部材に接続端子が設けられ、接続端子がベースを通過して揺動プレートに接続される。本考案は、構造が簡単で、ボタンの水平位置が押された後、復位部材により元の位置に復帰することができる。【選択図】図１
0003213988.tif 000002
【実用新案登録請求の範囲】
【請求項１】
順次設置されるボタン、ベース及び本体を含み、前記ボタンがベースに係止され、前記ベースが本体に係止され、前記ボタンに、ボタンを復位させるための復位部材及び駆動するための駆動スライダが設けられ、前記ベースに揺動シャフト及び発光部材が設けられ、前記復位部材が前記ボタンと前記ベースとの間に設けられ、前記駆動スライダが前記揺動シャフトに駆動的に接続され、前記本体に揺動シャフト接続具及び揺動プレートが設けられ、前記揺動シャフトが揺動シャフト接続具により揺動プレートを駆動し、前記発光部材に接続端子が設けられ、前記接続端子がベースを通過して揺動プレートに接続されることを特徴とするプッシュスイッチ。
【請求項２】
前記ボタンの両側に第１係止具が設けられ、前記ベースに、第１係止具に対応して第１係止溝が設けられることを特徴とする請求項１に記載のプッシュスイッチ。
【請求項３】
前記第１係止溝の長さは、第１係止具より長いことを特徴とする請求項２に記載のプッシュスイッチ。
【請求項４】
前記ベースの両側に第２係止具が設けられ、前記本体に、第２係止具に対応して第２係止溝が設けられ、前記第２係止溝の底面が傾斜に設置されることを特徴とする請求項１に記載のプッシュスイッチ。
【請求項５】
前記駆動スライダの両側に、駆動スライダを復位させるための駆動スライダばね、又は原理が同じである弾性シート構造が設けられることを特徴とする請求項１に記載のプッシュスイッチ。
【請求項６】
前記復位部材は、復位ばねであり、前記ボタンに、復位部材を位置決めする位置決め柱が設けられ、前記ベースに復位部材を収納する収納溝が設けられることを特徴とする請求項１に記載のプッシュスイッチ。
【請求項７】
前記発光部材にＬＥＤランプがさらに設けられ、前記ボタンのＬＥＤランプに近い位置に凹溝が開設されることを特徴とする請求項１に記載のプッシュスイッチ。
【請求項８】
前記ベースの下面に複数の位置決め柱が設けられ、前記本体の上面に複数の位置決め孔が開設され、前記位置決め柱が前記位置決め孔に嵌合されることを特徴とする請求項１に記載のプッシュスイッチ。
【請求項９】
前記ボタンの駆動スライダに近い側に水平溝が設けられ、前記駆動スライダに水平凸条が設けられ、前記水平凸条が水平溝に沿って摺動することを特徴とする請求項１に記載のプッシュスイッチ。
【請求項１０】
前記揺動シャフト接続具は、ばね、又は原理が同じである弾性シート構造であることを特徴とする請求項１に記載のプッシュスイッチ。
【考案の詳細な説明】
【技術分野】
【０００１】
本考案は、スイッチ技術に関し、特に、プッシュスイッチに関する。
【背景技術】
【０００２】
電源コンセントは、電気器具に電源インタフェースを提供する電気機器であり、住宅用電気の設計によく使われる電気付属品でもあり、人々の生活に緊密な関係がある。使用の際にコンセントの位置が変化しないものは、固定コンセントと呼ばれるのに対し、位置が必要に応じて自在に移動可能なものは、移動コンセント又はテーブルタップとして呼ばれる。
【０００３】
一般には、電源コンセントにスイッチが付いており、スイッチによりオン、オフ等の基本的なコントロールを行うことができる。通常、各ボタンスイッチに２対の接点がある。各１対の接点は、１つのノーマルオープン接点及び１つのノーマルクローズ接点で構成される。ボタンを押すと、２対の接点が同時に作動し、ノーマルクローズ接点が開き、ノーマルオープン接点が閉じる。従来のコンセントスイッチは、日常の使用ニーズを満たすことができない場合が多く、一定の欠陥があり、構造が複雑である一方、スイッチがオンされたか否かをタイムリーに判断できず、使用に不便である等の問題がある。
【考案の概要】
【０００４】
上述した問題を解決するために、本考案は、構造が簡単で、ボタンの水平位置が押された後、復位部材により元の位置に復帰でき、使用に便利で、適用範囲が広いプッシュスイッチを提供する。  
【０００５】
本考案の技術手段は、順次設置されるボタン、ベース及び本体を含み、前記ボタンがベースに係止され、前記ベースが本体に係止され、前記ボタンに、ボタンを復位させるための復位部材及び駆動するための駆動スライダが設けられ、前記ベースに揺動シャフト及び発光部材が設けられ、前記復位部材が前記ボタンと前記ベースとの間に設けられ、前記駆動スライダが前記揺動シャフトに駆動的に接続され、前記本体に揺動シャフト接続具及び揺動プレートが設けられ、前記揺動シャフトが揺動シャフト接続具により揺動プレートを駆動し、前記発光部材に接続端子が設けられ、前記接続端子がベースを通過して揺動プレートに接続されるプッシュスイッチである。
【０００６】
上記技術手段において、さらに、上記ボタンの両側に第１係止具が設けられ、上記ベースに、第１係止具に対応して第１係止溝が設けられる。
【０００７】
上記技術手段において、さらに、上記第１係止溝の長さは第１係止具より長い。
【０００８】
上記技術手段において、さらに、上記ベースの両側に第２係止具が設けられ、上記本体に第２係止具に対応して第２係止溝が設けられ、上記第２係止溝の底面が傾斜に設置される。
【０００９】
上記技術手段において、さらに、上記駆動スライダの両側に、駆動スライダを復位させる駆動スライダばね、又は原理が同じである弾性シート構造が設けられる。
【００１０】
上記技術手段において、さらに、上記復位部材は、復位ばねであり、上記ボタンに復位部材を位置決めする位置決め柱が設けられ、上記ベースに復位部材を収納する収納溝が設けられる。
【００１１】
上記技術手段において、さらに、上記発光部材にＬＥＤランプが更に設けられ、上記ボタンのＬＥＤランプに近い位置に凹溝が開設される。
【００１２】
上記技術手段において、さらに、上記ベースの下面に複数の位置決め柱が設けられ、上記本体の上面に複数の位置決め孔が開設され、上記位置決め柱が位置決め孔に嵌合される。
【００１３】
上記技術手段において、さらに、上記ボタンの駆動スライダに近い側に水平溝が開設され、上記駆動スライダに平凸条が設けられ、上記水平凸条に水平溝に沿って摺動する。
【００１４】
上記技術手段において、さらに、上記揺動シャフト接続具は、ばね、又は原理が同じである弾性シート構造である。
本考案の有益な効果は以下の通りである。
【００１５】
１、第１の態様では、上から下に、ボタン、ベース及び本体が順次設置されている。ボタンにより、押圧効果を奏し、使用に便利である。ベースにより、固定且つ接続の効果を奏する。本体により、電源に接続する効果を奏し、接続の効果に優れている。第２の態様では、上記ボタンがベースに係止され、上記ベースが本体に係止される。係止接続により、取付けに便利で、接続の効果に優れている。第３態様では、上記ボタンにボタンを復位させるための復位部材及び駆動するための駆動スライダが設けられる。復位部材により、ボタンが押された後、元の位置に復帰でき、復位効果に優れている。駆動スライダにより、押圧駆動効果を奏し、駆動効果に優れている。第４の態様では、上記ベースに揺動シャフト及び発光部材が設けられ、揺動シャフトにより、スイッチを揺動する作用を有し、発光部材により、本考案が接続状態にあるか否かを表示する。第５の態様では、上記復位部材がボタンとベースとの間に設けられることにより、ボタンが押された後、元の位置に迅速に復帰できる。上記駆動スライダが揺動シャフトに駆動的に接続される。ボタンを押すと、上記駆動スライダが揺動シャフトを揺動するように駆動することで、スイッチのオン・オフを実現でき、使用に便利である。第６の態様では、上記本体に揺動シャフト接続具及び揺動プレートが設けられる。上記揺動シャフトは、揺動シャフト接続具により揺動プレートを駆動することで、揺動シャフトが揺動プレートを電極に接続するように駆動しやすく、スイッチのオン・オフ効果を実現でき、触発効果に優れている。第７の態様では、上記発光部材に接続端子が設けられ、上記接続端子がベースを通過して揺動プレートに接続される。接続端子により、発光部材と揺動プレートとの電気的接続を実現し、使用の際に、プッシュスイッチがオンになると、発光部材が点灯する一方、プッシュスイッチがオフの状態にある場合に、発光部材が滅灯の状態となる。それによって、使用の際に、本スイッチがオンの状態にあるか、又はオフの状態にあるかを明確に判断できる。本考案は、実際の使用において、構造が簡単で、ボタンの水平位置が押された後、復位部材により元の位置に復帰することができ、且つ、発光部材を有することで、本スイッチがオンの状態にあるか、又はオフの状態にあるかを明確に判断でき、使用に便利で、幅広く適用される。
【００１６】
２、上記ボタンの両側に第１係止具が設けられ、上記ベースの両側に第１係止溝が開設され、上記第１係止具が第１係止溝に係止される。第１係止具と第１係止溝との係止により、取付けが簡単である。また、両側での係止により、安定性が良好である。
【００１７】
３、上記第１係止溝の長さは、第１係止具より長い。それにより、使用の際に、ボタンを押すのに便利であり、ボタンを押すことで、第１係止具を第１係止溝に上移動させることができ、押圧効果に優れており、使用に便利である。
【００１８】
４、上記ベースの両側に第２係止具が設けられ、上記本体の両側に第２係止溝が開設され、上記第２係止具が第２係止溝に係止される。第２係止具と第２係止溝との係止により、取付けが簡単である。また、両側での係止により、安定性が良好である。上記第２係止溝の底面が傾斜に設置されることにより、取付ける際に、第２係止具を第２係止溝に容易に係止させることができる。また、上記第２係止具の第２係止溝に接する面が同様に傾斜に設置されることにより、第２係止具を第２係止溝の斜面に密接させ、取付けの安定性をさらに向上できる。
【００１９】
５、上記駆動スライダの両側に、駆動スライダを復位させる駆動スライダばねが設けられる。駆動スライダばねにより、駆動スライダを水平位置に直線運動するように保持することができ、また、ボタンを押すと、駆動スライダが両側の駆動スライダばねに沿って往復運動することで、揺動シャフトの駆動効果を達成できる。
【００２０】
６、上記復位部材は、復位ばねである。ばねによりボタンを復位させることで、復位効果に優れている。上記ボタンに復位部材を位置決めする位置決め柱が設けられ、復位部材が位置決め柱に套設され、上記ベースに復位部材を収納する収納溝が設けられる。復位部材の両端をそれぞれ位置決め柱及び収納溝に設置することにより、復位部材の位置決めを効果的に保証でき、復位効果に優れている。
【００２１】
７、上記発光部材にＬＥＤランプが更に設けられる。ＬＥＤランプの発光により、本考案のオン・オフ状態を容易に判断できる。上記ボタンのＬＥＤランプに近い位置に凹溝が設けられる。ＬＥＤランプの発光が凹溝を介して出射するため、凹溝により、ボタンの表面からＬＥＤランプのオン・オフ状態を明確に判断できる。
【００２２】
８、上記ベースの下面に複数の位置決め柱が設けられ、上記本体の上面に複数の位置決め孔が開設され、上記位置決め柱が位置決め孔に嵌合される。位置決め柱と位置決め孔との嵌合により、ベースと本体との取付けがより堅牢となり、取付け位置の正確を保証できる。
【００２３】
９、上記ボタンの駆動スライダに近い側に水平溝が開設され、上記駆動スライダに水平凸条が開設され、上記水平凸条が水平溝に沿って摺動することにより、駆動スライダが水平溝と同一の水平面内にあり、ボタンを押すと、駆動スライダが水平溝に伴って摺動できることで、本考案の使用効果をさらに向上させ、ボタンの復位効果を保証する。
【００２４】
１０、上記揺動シャフト接続は、ばねである。それにより、極片と電源とを接続・分離させるように、揺動プレートの開閉を駆動しやすく、駆動効果に優れている。また、触発又は分離後、迅速に復位させることができ、復位効果に優れており、使用に便利である。
【図面の簡単な説明】
【００２５】
【図１】本考案の分解図である。
【図２】本考案の別の視点の分解図である。
【図３】本考案の別の視点の分解図である。
【図４】本考案の平面図である。
【図５】図４のＡ−Ａ断面図である。
【考案を実施するための形態】
【００２６】
以下、図面を参照しながら本考案を更に説明する。
図１〜５は、それぞれ本考案の分解図、平面図及び断面図である。
【００２７】
プッシュスイッチ１００は、順次設置されるボタン１１０、ベース１２０及び本体１３０を含み、上記ボタン１１０がベース１２０に係止され、上記ベース１２０が本体１３０に係止され、上記ボタン１１０にボタン１１０を復位させるための復位部材１１１及び駆動するための駆動スライダ１１２が設けられ、上記ベース１２０に揺動シャフト１２１及び発光部材１２２が設けられ、上記復位部材１１１がボタン１１０とベース１２０との間に設けられ、上記駆動スライダが揺動シャフト１２１に駆動的に接続され、上記本体１３０に揺動シャフト接続具１３１及び揺動プレート１３２が設けられ、上記揺動シャフト１２１が揺動シャフト接続具１３１により揺動プレート１３２を駆動し、上記発光部材１２２に接続端子１２２ａが設けられ、上記接続端子１２２ａがベース１２０を通過して揺動プレート１３２に接続される。
【００２８】
第１の態様では、上から下に、ボタン１１０、ベース１２０及び本体１３０が順次設置されている。ボタン１１０により、押圧効果を奏し、使用に便利である。ベース１２０により、固定且つ接続の効果を奏する。本体１３０により、電源に接続する効果を奏し、接続の効果に優れている。第２の態様では、上記ボタン１１０がベース１２０に係止され、上記ベース１２０が本体１３０に係止される。係止接続により、取付けに便利で、接続の効果に優れている。第３態様では、上記ボタン１１０に、ボタン１１０を復位させるための復位部材１１１及び駆動するための駆動スライダ１１２が設けられる。復位部材１１１により、ボタン１１０が押された後、元の位置に復帰でき、復位効果に優れている。駆動スライダ１１２により、押圧駆動効果を奏し、駆動効果に優れている。第４の態様では、上記ベース１２０に、揺動シャフト１２１及び発光部材１２２が設けられ、揺動シャフト１２１により、スイッチを揺動する作用を有し、発光部材１２２により、本考案が接続状態にあるか否かを表示する。第５の態様では、上記復位部材１１１がボタン１１０とベース１２０との間に設けられることにより、ボタン１１０が押された後、元の位置に迅速復帰できる。上記駆動スライダが揺動シャフト１２１に駆動的に接続される。ボタン１１０を押すと、前記駆動スライダが揺動シャフト１２１を揺動するように駆動することで、スイッチのオン・オフを実現でき、使用に便利である。第６の態様では、上記本体１３０に揺動シャフト接続具１３１及び揺動プレート１３２が設けられる。上記揺動シャフト１２１が揺動シャフト接続具１３１により揺動プレート１３２を駆動することで、揺動シャフト１２１が揺動プレート１３２を電極に接続するように駆動しやすく、スイッチのオン・オフ効果を実現でき、触発効果に優れている。第７の態様では、上記発光部材１２２に接続端子１２２ａが設けられ、上記接続端子１２２ａがベース１２０を通過して揺動プレート１３２に接続される。接続端子１２２ａにより、発光部材１２２と揺動プレート１３２との電気的接続を実現し、使用の際に、プッシュスイッチ１００がオンになると、発光部材１２２が点灯する一方、プッシュスイッチ１００がオフの状態にある場合に、発光部材１２２が滅灯の状態となる。それによって、使用の際に、本スイッチがオンの状態にあるか、又はオフの状態にあるかを明確に判断できる。本考案は、実際の使用において、構造が簡単で、ボタン１１０の水平位置が押された後、復位部材１１１により元の位置に復帰することができ、且つ、発光部材１２２を有することで、本スイッチがオンの状態にあるか、又はオフの状態にあるかを明確に判断でき、使用に便利で、幅広く適用される。
【００２９】
ボタン１１０の駆動スライダ１１２に近い側に水平溝１１２ｂが開設され、上記駆動スライダ１１２に水平凸条１１２ｃが設けられ、上記水平凸条１１２ｃが水平溝１１２ｂに沿って摺動することにより、駆動スライダ１１２が水平溝１１２ｂと同一の水平面内にあり、ボタン１１０を押すと、駆動スライダ１１２が水平溝１１２ｂに伴って摺動できることで、本考案の使用効果をさらに向上させ、ボタン１１０の復位効果を保証する。
【００３０】
ボタン１１０の両側に第１係止具１１３が設けられ、上記ベース１２０の両側に第１係止溝１２３が開設され、上記第１係止具１１３が第１係止溝１２３に係止される。第１係止具１１３と第１係止溝１２３との係止により、取付けが簡単である。また、両側での係止により、安定性が良好である。
【００３１】
復位部材１１１は、復位ばねである。ばねにより、ボタン１１０を復位させることで、復位効果に優れている。上記ボタン１１０に復位部材１１１を位置決めする位置決め柱１１１ａが設けられ、復位部材１１１が位置決め柱１１１ａに套設され、上記ベース１２０に復位部材１１１を収納する収納溝１１１ｂが設けられる。復位部材１１１の両端をそれぞれ位置決め柱１１１ａ及び収納溝１１１ｂに設置することにより、復位部材１１１の位置決めを効果的に保証でき、復位効果に優れている。
【００３２】
第１係止溝１２３の長さは、第１係止具１１３より長い。それにより、使用の際に、ボタン１１０を押すのに便利であり、ボタン１１０を押すことで、第１係止具１１３を第１係止溝１２３に上移動させることができ、押圧効果に優れており、使用に便利である。
【００３３】
駆動スライダ１１２の両側に駆動スライダ１１２を復位させる駆動スライダばね１１２ａが設けられる。駆動スライダばね１１２ａにより、駆動スライダ１１２を水平位置に直線運動するように保持することができ、また、ボタン１１０を押すと、駆動スライダ１１２が両側の駆動スライダばね１１２ａに沿って往復運動することで、揺動シャフト１２１の駆動効果を達成できる。
【００３４】
ベース１２０の両側に第２係止具１２４が設けられ、上記本体１３０の両側に第２係止溝１３３が開設され、上記第２係止具１２４が第２係止溝１３３に係止される。第２係止具１２４と第２係止溝１３３との係止により、取付けが簡単である。また、両側での係止により、安定性が良好である。上記第２係止溝１３３の底面が傾斜に設置されることにより、取付ける際に、第２係止具１２４を第２係止溝１３３に容易に係止させることができる。また、上記第２係止具１２４の第２係止溝１３３に接する面が同様に傾斜に設置されることにより、第２係止具１２４を第２係止溝１３３の斜面に密接させ、取付けの安定性をさらに向上できる。
【００３５】
発光部材１２２にＬＥＤランプ１２２ｂが更に設けられる。ＬＥＤランプ１２２ｂの発光により、本考案のオン・オフ状態を容易に判断できる。上記ボタン１１０のＬＥＤランプ１２２ｂに近い位置に凹溝が開設される。ＬＥＤランプ１２２ｂの発光が凹溝を介して出射するため、凹溝により、ボタン１１０の表面からＬＥＤランプ１２２ｂのオン・オフ状態を明確に判断できる。
【００３６】
ベース１２０の下面に複数の位置決め柱１２５が設けられ、上記本体１３０の上面に複数の位置決め孔１３４が開設され、上記位置決め柱１２５が位置決め孔１３４に嵌合される。位置決め柱１２５と位置決め孔１３４との嵌合により、ベース１２０と本体１３０との取付けがより堅牢となり、取付け位置の正確を保証できる。
【００３７】
揺動シャフト接続具１３１は、ばねである。それにより、極片と電源とを接続・分離させるように、揺動プレート１３２の開閉を駆動しやすく、駆動効果に優れている。また、触発又は分離後、迅速に復位させることができ、復位効果に優れており、使用に便利である。
本考案の作動原理は以下の通りである。
【００３８】
まず、使用の際に、ボタン１１０を押すことで、ボタン１１０が駆動部材に揺動部材を揺動するように駆動させ、揺動シャフト接続具１３１が揺動部材の揺動に連動して揺動プレート１３２を駆動し、スイッチの触発効果を奏する。接続が触発された場合、接続端子１２２ａにより、発光部材１２２を発光させ、ボタン１１０に開設された凹溝を介して光が出射することで、本考案のオン・オフ状態の判断に便利である。プッシュスイッチ１００をオフにする場合には、ボタン１１０を再度押せばよい。
【００３９】
上記の実施例により、本考案のいくつかの実施態様を具体的で詳しく開示したが、これらの実施例は、本考案の範囲を限定するものではない。本考案の趣旨及び範囲を脱出しない限り、当業者であれば、様々な変更及び修飾を加えることができるため、本考案の保護範囲は、実用新案登録請求の範囲に基づくものである。
【符号の説明】
【００４０】
１００ プッシュスイッチ
１１０ ボタン
１１１ 復位部材
１１１ａ 位置決め柱
１１１ｂ 収納溝
１１２ 駆動スライダ
１１２ａ 駆動スライダばね
１１２ｂ 水平溝
１１２ｃ 水平凸条
１１３ 第１係止具
１２０ ベース
１２１ 揺動シャフト
１２２ 発光部材
１２２ａ 接続端子
１２２ｂ ＬＥＤランプ
１２３ 第１係止溝
１２４ 第２係止具
１２５ 位置決め柱
１３０ 本体
１３１ 揺動シャフト接続具
１３２ 揺動プレート
１３３ 第２係止溝
１３４ 位置決め孔
【図１】
0003213988.tif 000003
【図２】
0003213988.tif 000004
【図３】
0003213988.tif 000005
【図４】
0003213988.tif 000006
【図５】
0003213988.tif 000007